(57)【要約】【課題】  印刷済みの原稿に対して追記された情報を、原稿に対する変更内容として簡素な構成で正確かつ効率よく管理できるようにすること。【解決手段】  記憶部１０７には、追記がなされる前の原稿についてページ毎のオリジナル画像が記憶されている。画像処理装置１は、追記がなされた原稿についてページ毎の画像を画像読取部１０２を用いて読み取り、読み取った各入力画像と、記憶部１０７に記憶されている各オリジナル画像とを比較し、追記によって変更された変更ページを特定する。そして、画像処理装置１は、記憶部１０７に記憶されているオリジナル画像のうち変更ページのオリジナル画像を、変更ページの入力画像を用いて更新する。【選択図】    図２
2006268792.tif 000002
【特許請求の範囲】
【請求項１】
追記がなされた原稿のページ毎の画像を入力する入力手段と、
追記がなされる前の前記原稿のページ毎の画像を記憶する記憶手段と、
前記入力手段により入力された各画像と、前記記憶手段に記憶されている各画像とを比較し、追記によって変更されたページを特定する特定手段と、
前記記憶手段に記憶されている各画像のうち前記特定手段により特定されたページの画像を、前記入力手段により入力された各画像のうち前記ページの画像を用いて更新する更新手段と、
前記記憶手段に記憶されている各画像を出力する出力手段と
を具備することを特徴とする画像処理装置。
【請求項２】
前記更新手段は、前記記憶手段に記憶されている各画像のうち前記特定手段により特定されたページの画像を、前記入力手段により入力された各画像のうち前記ページの画像と置換する
ことを特徴とする請求項１記載の画像処理装置。
【請求項３】
前記更新手段は、前記入力手段により入力された各画像のうち前記特定手段により特定されたページの画像を、前記記憶手段に記憶されている各画像のうち前記ページの画像と対応付けて前記記憶手段に記憶する
ことを特徴とする請求項１記載の画像処理装置。
【請求項４】
前記入力手段は、追記がなされた原稿について原稿１枚毎の画像を入力し、
前記入力手段により入力された原稿１枚分の画像を解析し、当該画像に２ページ分以上の画像が含まれているか否かを判定する判定手段と、
前記判定手段により２ページ分以上の画像が含まれていると判定された場合、前記入力手段により入力された各画像を１ページ分ずつの画像に分割する分割手段とをさらに具備する
ことを特徴とする請求項１記載の画像処理装置。
【請求項５】
前記原稿データは文書データであって、
前記特定手段は、前記入力手段により入力された各画像と、前記記憶手段に記憶されている各画像について、当該画像に含まれている文書の行方向または列方向の投影分布を求め、前記入力された各画像についての投影分布と、前記記憶されている各画像についての投影分布とを比較して、追記によって変更されたページを特定する
ことを特徴とする請求項１記載の画像処理装置。
【請求項６】
追記がなされた原稿のページ毎の画像を入力する入力過程と、
前記入力過程にて入力された各画像と、メモリに記憶されている、追記がなされる前の前記原稿の各ページの画像とを比較し、追記によって変更されたページを特定する特定過程と、
前記メモリに記憶されている各画像のうち前記特定過程にて特定されたページの画像を、前記入力過程にて入力された各画像のうち前記ページの画像を用いて更新する更新過程と、
前記メモリに記憶されている各画像を出力する出力過程と
を有することを特徴とする画像処理方法。
【発明の詳細な説明】
【技術分野】
【０００１】
本発明は、印刷済みの原稿に対して追記された情報を原稿に対する変更内容として管理する技術に関する。
【背景技術】
【０００２】
例えば、特許文献１には、覚え書きやマーク等といった付加情報が筆記用具で書き込まれた紙文書の画像をスキャナで読み取り、この画像から付加情報が書き込まれた領域を以下の項目（１）〜（５）に記載する方法で抽出し、抽出した領域内の画像を付箋データとして文書データと関連付けて保存する文書ファイリングシステムが記載されている。
【０００３】
（１）スキャナで読み取った画像をオペレータが確認し、付加情報が書き込まれた領域を指定する。
（２）紙文書において付加情報を書き込む領域が予め定められており、スキャナで読み取られた画像から予め定められた領域を抽出する。
（３）文書中の文字とは異なる色で書き込みがなされている領域を抽出する。
（４）文書中の文字とは異なる色の線で囲まれた領域を抽出する。
（５）付加情報が書き込まれる前のオリジナルの文書データを保持しており、オリジナルの文書データの画像と、スキャナで読み取られた画像とを比較することによって、付加情報が書き込まれた領域を抽出する。
【０００４】
【特許文献１】特開２００２−２６９１２２号公報
【発明の開示】
【発明が解決しようとする課題】
【０００５】
しかしながら、上述した特許文献１に記載された技術では、例えば、（１）の方法を用いた場合は、スキャナで読み取られた画像をオペレータがいちいち確認しなければならない。また、（２）〜（４）の方法を用いた場合は、紙文書に対して付加情報を書き込むルールが定められているため、紙原稿に対して注釈や添削等の情報を自由に追記することができない。
【０００６】
一方、（５）の方法を用いた場合は、オリジナルの文書データの画像と、スキャナで読み取られた画像を比較する構成であるので、注釈や添削等の情報を紙文書に対して自由に追記することができる。しかしながら、特許文献１に記載された技術では、付加情報が書き込まれた領域を抽出する構成であるため、例えば、文書中において文字や線画、画像等が存在する領域上に追記がなされた場合、スキャナで読み取られた画像から追記情報が書き込まれた領域を抽出する処理や、抽出した領域内の画像を切り出す処理が煩雑なものとなってしまう。また、追記情報が書き込まれた領域を正確に抽出することが難しい。
【０００７】
本発明は、以上説明した事情に鑑みてなされたものであり、その目的は、印刷済みの原稿に対して追記された情報を、原稿に対する変更内容として簡素な構成で正確かつ効率よく管理できるようにすることである。
【課題を解決するための手段】
【０００８】
上記課題を解決するため、本発明は、追記がなされた原稿のページ毎の画像を入力する入力手段と、追記がなされる前の前記原稿のページ毎の画像を記憶する記憶手段と、前記入力手段により入力された各画像と、前記記憶手段に記憶されている各画像とを比較し、追記によって変更されたページを特定する特定手段と、前記記憶手段に記憶されている各画像のうち前記特定手段により特定されたページの画像を、前記入力手段により入力された各画像のうち前記ページの画像を用いて更新する更新手段と、前記記憶手段に記憶されている各画像を出力する出力手段とを具備する画像処理装置を提供する。
【０００９】
本発明によれば、記憶手段には、追記がなされる前の原稿の各ページの画像が記憶されており、画像処理装置は、追記がなされた原稿のページ毎の画像を入力手段により入力し、当該入力された各画像と記憶手段に記憶されている各画像とを比較し、追記によって変更されたページを特定する。そして、画像処理装置は、記憶手段に記憶されている各画像のうち上記特定されたページの画像を、入力された各画像のうち上記特定されたページの画像を用いて更新する。
【００１０】
また、本発明は、追記がなされた原稿のページ毎の画像を入力する入力過程と、前記入力過程にて入力された各画像と、メモリに記憶されている、追記がなされる前の前記原稿の各ページの画像とを比較し、追記によって変更されたページを特定する特定過程と、前記メモリに記憶されている各画像のうち前記特定過程にて特定されたページの画像を、前記入力過程にて入力された各画像のうち前記ページの画像を用いて更新する更新過程と、前記メモリに記憶されている各画像を出力する出力過程とを有する画像処理方法を提供する。
【発明の効果】
【００１１】
本発明によれば、印刷済みの原稿に対して追記された情報を、原稿に対する変更内容として簡素な構成で正確かつ効率よく管理することができる。
【発明を実施するための最良の形態】
【００１２】
［Ａ．実施形態］
以下、図面を参照して本発明の実施形態について説明する。
図１は、本実施形態に係る画像処理装置１のハードウェア構成を示すブロック図である。なお、本実施形態においては、画像処理装置１として、複写機の機能とネットワークプリンタの機能を兼ね備えた複合機を用いた場合について説明する。また、本実施形態においては、原稿データとして文書データを用いた場合について説明する。
【００１３】
同図において、制御部１０１は、ＣＰＵ、ＲＯＭ、ＲＡＭ等を備え、ＲＯＭや記憶部１０７に記憶されているプログラムを実行することで画像処理装置１の各部を制御する。画像読取部１０２は、記録紙やＯＨＰシート等に印刷された原稿（文書）の画像を光学的に読み取るイメージスキャナである。通信インタフェース１０３は、パーソナルコンピュータ（以下、ＰＣと記載する）等の他の機器との間でネットワークを介して行われる通信を制御する。表示部１０４は、液晶表示パネルとその駆動回路によって構成されている。操作部１０５は、液晶表示パネルの画面上に貼り付けられたタッチパネルや、操作パネル上に設けられた、テンキー、スタートボタン等の操作子によって構成されており、タッチパネルや操作子の操作に応じた信号を制御部１０１に出力する。印刷部１０６は、文書データに基づく画像を記録紙やＯＨＰシート等に印刷する。
【００１４】
記憶部１０７には、後述する追記情報管理処理Ａ（図２参照）を制御するためのプログラムが記憶されている。また、この記憶部１０７には文書データが記憶されている。本実施形態においては、記録紙等に印刷された原稿（文書）に対し、例えば、注釈が書き込まれたり、添削が施される等といった追記がなされる訳であるが、このような追記がなされる前のオリジナルの文書データは、例えば、通信インタフェース１０３を介してＰＣ等の他の機器から取得され、記憶部１０７に記憶される。勿論、記録紙等に印刷されたオリジナルの原稿の画像を画像読取部１０２を用いて読み取り、この画像データをオリジナルの文書データとして記憶部１０７に記憶することもできる。また、文書データは、１ページ目の画像データ、２ページ目の画像データ、３ページ目の画像データ…等、ページ毎の画像データとして、ページ番号と対応付けられて記憶部１０７に記憶されている。
【００１５】
次に、画像処理装置１の動作を説明する。
まず、画像処理装置１においては、ユーザからの印刷指示に応じて記憶部１０７に記憶されているオリジナルの文書データが読み出され、印刷部１０６によって記録紙に印刷される。そして、記録紙に印刷された原稿（文書）に対し、例えば、注釈が書き加えられたり添削が施される等、ユーザによって追記がなされる。この後、注釈や添削等が追記された原稿を用いて、記憶部１０７に記憶されている文書データの内容を変更したり、あるいは追記された注釈や添削等の内容を変更履歴として保存する場合に、以下に説明する追記情報管理処理Ａが行なわれる。
【００１６】
図２は、画像処理装置１において実行される追記情報管理処理Ａのフローチャートである。この追記情報管理処理Ａは、例えば、タッチパネル等が操作されて追記情報管理モードが選択された場合や、ＰＣ等の他の機器からネットワークを介して追記情報管理モードが指定された場合に、制御部１０１により実行される。
【００１７】
同図に示すように、まず、制御部１０１は、注釈や添削等が追記された原稿の画像データを入力する処理を行なう（ステップＳ１０１）。このステップＳ１０１の処理について具体的に説明すると、例えば、画像処理装置１（複合機）において、注釈や添削等が追記された原稿がシートフィーダ上にセットされ、スタートボタンが押下されると、制御部１０１は、シートフィーダ上にセットされた原稿の画像を１ページ分ずつ画像読取部１０２を用いて読み取る。なお、注釈や添削等が追記された原稿の画像データは、例えば、通信インタフェース１０３を介してＰＣ等の他の機器から取得することも可能である。
【００１８】
この後、制御部１０１は、入力された画像データに対して自動正立処理を行なう（ステップＳ１０２）。すなわち、制御部１０１は、１ページ分ずつ入力されてくる文書の画像データに対し、レイアウト解析や文字認識処理を行ない、誤った方向で読み取られた文書の画像データを正しい方向に回転させる。
【００１９】
次いで、制御部１０１は、入力されたページ毎の画像（以下、入力画像と記載する）と、記憶部１０７に記憶されているページ毎の画像（以下、オリジナル画像と記載する）とをページ単位で比較する（ステップＳ１０３）。このステップＳ１０３の処理について具体的に説明すると、まず、制御部１０１は、各入力画像に対してヘッダやフッダの領域に文字認識処理を施し、各入力画像のページ番号を特定する。一方で、前述したように記憶部１０７には、各オリジナル画像がページ番号と対応付けられて記憶されている。そこで、制御部１０１は、各入力画像のページ番号を特定し終えると、１ページ目から順に、入力画像とオリジナル画像を比較していく。
【００２０】
また、このようにしてページ単位で画像を比較していく際には、例えば、入力画像とオリジナル画像について、当該画像に含まれている文書の行方向（Ｘ軸方向）または列方向（Ｙ軸方向）の投影分布を求め、入力画像の投影分布と、オリジナル画像の投影分布とを比較する。このようにして制御部１０１は、ページ単位で入力画像とオリジナル画像とを比較し、入力画像がオリジナル画像から変更されているか否かを判定し、追記によって変更されたページを特定する（ステップＳ１０４）。
【００２１】
例えば、記録紙に印刷された合計１０ページの原稿（文書）において、２ページ目と５ページ目に注釈や添削等が追記されており、残りのページには何ら追記がされていない場合、ページ毎に算出される入力画像の投影分布とオリジナル画像の投影分布は、２ページ目と５ページ目で相違する一方、残りのページでは一致する。したがって、制御部１０１は、追記によって変更されたページが２ページ目と５ページ目であると特定する。
【００２２】
なお、上記ステップＳ１０３では、各入力画像のページ番号を特定する場合について説明したが、このように各入力画像のページ番号を特定してやる必要は必ずしもない。例えば、各入力画像の投影分布と、各オリジナル画像の投影分布とを比較することによって、各々のページのオリジナル画像に対応する入力画像を特定することができる。仮に、追記によって１部が変更された入力画像であっても、変更された部分を除く残りの部分については投影分布の比較結果が一致するので、対応するオリジナル画像とそのページ番号が特定できるのである。
【００２３】
このようにしてページ単位で入力画像とオリジナル画像とを比較した結果、全てのページにおいて入力画像とオリジナル画像が一致し、何ら変更（追記）が行なわれていなかった場合（ステップＳ１０５：ＮＯ）、制御部１０１は、ステップＳ１０６およびＳ１０７の処理を行なわずに、追記情報管理処理Ａを終える。
【００２４】
一方、ページ単位で入力画像とオリジナル画像とを比較した結果、１ページでも入力画像とオリジナル画像が一致せず、追記によって変更されたページがあった場合（ステップＳ１０５：ＹＥＳ）、制御部１０１は、まず、上記ステップＳ１０４において特定された変更ページの入力画像を特定する（ステップＳ１０６）。次いで、制御部１０１は、記憶部１０７に記憶されているオリジナル画像のうち、上記ステップＳ１０４において特定された変更ページのオリジナル画像を、上記ステップＳ１０６において特定された入力画像に置換し（ステップＳ１０７）、当該追記情報管理処理Ａを終える。すなわち、制御部１０１は、追記によって変更されたページについてオリジナル画像を入力画像に置き換える。
【００２５】
なお、上記ステップＳ１０７においては、オリジナル画像を入力画像に置換する場合について説明したが、変更ページのオリジナル画像を消去せずに、変更ページの入力画像と対応付けて記憶部１０７に記憶する構成であってもよい。勿論、オリジナル画像を更新した日時を示す情報や、追記を行なったユーザを示す情報等を履歴情報としてページ単位で記憶部１０７に記憶することができる。また、変更ページの入力画像は、ページ毎のオリジナル画像を収めた文書ファイル内に収められてもよいし、この文書ファイルとは別に、変更ページの入力画像を収める専用のファイルを新たに生成し、このファイル内に、対応する文書ファイルやページ番号、履歴情報等と関連付けて収められてもよい。
【００２６】
図３は、記憶部１０７に記憶されているオリジナル画像の更新例について示す図である。同図において左側に示すように、まず、記憶部１０７には、１ページ目（Ｐ１）と２ページ目（Ｐ２）の計２ページ分のオリジナル画像が記憶されいている。そして、この２ページ分のオリジナル画像が各々１枚の原稿として印刷される。この後、同図中央に示すように、印刷後の原稿に対して２ページ目に追記がなされ、この原稿の各ページの画像が画像処理装置１に入力されると、画像処理装置１では、２ページ目が追記によって変更されたページであると特定する。そして、同図において右側の上段に示すように、記憶部１０７に記憶されている２ページ目のオリジナル画像を、画像読取部１０２によって読み取られた２ページ目の入力画像に置換する。あるいは、同図において右側の下段に示すように、画像読取部１０２によって読み取られた２ページ目の入力画像（Ｐ２−１）と、２ページ目のオリジナル画像（Ｐ２−２）とを対応付けて記憶部１０７に記憶する。
【００２７】
このようにして追記情報管理処理Ａを終えた後、記憶部１０７に記憶されている文書データの印刷が指示されると、制御部１０１は、上述した追記情報管理処理Ａによって更新された後のページ毎の画像データを、印刷部１０６を用いて記録紙に印刷する。例えば、図３に例示したように、計２枚の原稿のうち２ページ目に追記がなされ、記憶部１０７に記憶されている画像データが同図右側の上段に示す通りとなった場合、制御部１０１は、１ページ目はオリジナル画像、２ページ目は、画像読取部１０２によって読み取られた、追記のなされた原稿の画像を記録紙に印刷する。
【００２８】
また、図３右側の下段に示すように、２ページ目について、オリジナル画像（Ｐ２−２）と追記後の画像（Ｐ２−１）が対応付けられて記憶されている場合、制御部１０１は、１ページ目はオリジナル画像、２ページ目は追記後の画像（Ｐ２−１）を記録紙に印刷する。この際、制御部１０１は、２ページ目の画像（Ｐ２−１）が追記によって変更されていることを示すメッセージやマークを記録紙の余白部分等に印刷することができる。また、変更した日時を示す情報や、追記を行なったユーザを示す情報等を履歴情報として、このページの余白部分等に印刷することもできる。また、制御部１０１は、ユーザからの指示に応じて、２ページ目の画像について、追記後の画像（Ｐ２−１）とオリジナル画像（Ｐ２−２）を差し替えて印刷を行なったり、あるいは２ページ目について今までの変更履歴を示す情報を生成して記録紙に印刷したり、表示部１０４に表示することができる。
【００２９】
以上説明したように本実施形態によれば、記憶部１０７には、追記がなされる前の原稿についてページ毎のオリジナル画像が記憶されており、画像処理装置１は、追記がなされた原稿についてページ毎の画像を画像読取部１０２を用いて読み取り、読み取った各入力画像と、記憶部１０７に記憶されている各オリジナル画像とを比較し、追記によって変更された変更ページを特定する。そして、画像処理装置１は、記憶部１０７に記憶されているオリジナル画像のうち変更ページのオリジナル画像を、変更ページの入力画像を用いて更新する。
【００３０】
このように画像処理装置１では、画像読取部１０２を用いて読み取った入力画像と、記憶部１０７に記憶されているオリジナル画像とをページ単位で比較し、追記によって変更されたページを特定すると、この変更ページの入力画像を用いて該当するオリジナル画像を更新する。したがって、入力画像から注釈や添削等の追記がなされた領域を抽出したり、抽出した領域内の画像を切り出したりする必要がないので、印刷後の原稿に対して追記された情報を、原稿に対する変更内容として簡素な構成で正確かつ効率よく管理することができる。
【００３１】
なお、画像処理装置１（コンピュータ）は、記憶部１０７にインストールされているプログラムに従って追記情報管理処理Ａ（図２参照）を実行するが、このプログラムを通信によって画像処理装置１へと送信し、記憶部１０７にインストールしてもよい。また、このプログラムをＣＤ−ＲＯＭやＤＶＤ、メモリカード等のコンピュータが読み取り可能な記録媒体に記録して提供してもよい。
【００３２】
［Ｂ．変形例］
（１）注釈や添削等が追記される原稿は、例えば、１枚の記録紙に対してＮ（Ｎは２以上の整数）ページ分の画像を縮小して印刷するＮ−ｕｐ印刷によって出力されている場合がある。以下に、Ｎ−ｕｐ印刷された原稿に対して追記がなされた場合の処理を図４および図５を用いて説明する。
【００３３】
図４は、画像処理装置１において実行される追記情報管理処理Ｂのフローチャートである。なお、以下の動作説明において追記情報管理処理Ａ（図２参照）と同様の処理を行なう部分については説明を簡略化している。
【００３４】
同図に示すように、まず、制御部１０１は、注釈や添削等が追記され、シートフィーダ上にセットされた原稿の画像を１枚分ずつ画像読取部１０２を用いて読み取る（ステップＳ２０１）。この後、制御部１０１は、入力された画像データに対して自動正立処理を行なう（ステップＳ２０２）。次いで、制御部１０１は、画像読取部１０２によって読み取られた原稿１枚分の画像に対してレイアウト解析や文字認識処理を行ない（ステップＳ２０３）、この画像に２ページ分以上の画像が含まれているか否かを判定する（ステップＳ２０４）。つまり、制御部１０１は、画像読取部１０２によって読み取られた原稿がＮ−ｕｐ印刷された原稿であるか否かを判定する。
【００３５】
このステップＳ２０３およびＳ２０４の処理について具体的に説明すると、例えば、画像読取部１０２によって読み取られた原稿１枚分の画像に対してレイアウト解析や文字認識処理を行なった結果、一定の幅を有する空白領域によって画像の中央から左右に２等分される２段組の文書であって、かつ、各々の段の下方中央部または上方中央部等に“−１−”，“−２−”等の連番のページ番号が振られていた場合、制御部１０１は、この画像を２−ｕｐ印刷された原稿の画像であると判定する。また、一定の幅を有する空白領域によって画像が上下左右に４等分され、かつ、４等分された各々の領域の下方中央部等に“１”，“２”，“３”，“４”等の連番のページ番号が振られていた場合、制御部１０１は、この画像を４−ｕｐされた原稿の画像であると判定する。
【００３６】
制御部１０１は、このようにしてＮ−ｕｐ印刷された原稿であるか否かを判定し、Ｎ−ｕｐされた原稿であった場合は（ステップＳ２０４：ＹＥＳ）、Ｎ−ｕｐされた原稿の画像を１ページ分ずつの画像に分割する（ステップＳ２０５）。すなわち、２−ｕｐされた画像なら、この画像を左右に２等分する。また、４−ｕｐされた画像なら、この画像を上下左右に４等分する。一方、Ｎ−ｕｐされた原稿でなかった場合は（ステップＳ２０４：ＮＯ）、ステップＳ２０５の処理を行なわずにステップＳ２０６に移行する。そして、ステップＳ２０６〜Ｓ２１０において制御部１０１は、１ページ分ずつの入力画像を用いて、追記情報管理処理Ａ（図２参照）のステップＳ１０３〜Ｓ１０７と同様の処理を行なう。
【００３７】
図５は、２−ｕｐ印刷された原稿に対して追記がなされ、この原稿を用いて記憶部１０７に記憶されているオリジナル画像を更新する場合について示す図である。同図において左側に示すように、記憶部１０７には、１ページ目（Ｐ１）と２ページ目（Ｐ２）の計２ページ分のオリジナル画像が記憶されている。そして、この２ページ分のオリジナル画像が２−ｕｐ印刷され、同図中央に示すように１枚の原稿（Ｐ１：２−ｕｐ）として印刷される。そして、この２−ｕｐ印刷された原稿において、元来２ページ目の原稿部分に追記がなされ、画像読取部１０２によって原稿（Ｐ１：２−ｕｐ）の画像が読み取られると、まず、画像処理装置１は、読み取られた原稿が２−ｕｐ印刷されたものであると判定し、この画像を左右に２等分する。そして、１ページ分ずつに分割した１ページ目と２ページ目の入力画像を、記憶部１０７に記憶されている１ページ目と２ページ目のオリジナル画像と比較し、２ページ目が追記によって変更されたページであると特定する。そして、同図において右側の上段に示すように、記憶部１０７に記憶されている２ページ目のオリジナル画像を、分割後の２ページ目の入力画像に置換する。あるいは、同図において右側の下段に示すように、分割後の２ページ目の入力画像（Ｐ２−１）と、２ページ目のオリジナル画像（Ｐ２−２）とを対応付けて記憶部１０７に記憶する。
【００３８】
このような制御構成とすれば、Ｎ−ｕｐ印刷された原稿に対して追記がなされた場合であっても、追記されたページを正しく特定して記憶部１０７に記憶されているオリジナル画像を更新できる。
【００３９】
（２）上述した実施形態では本発明を複合機に適用した場合について説明したが、例えば、図６に示すＰＣ２（パーソナルコンピュータ）に本発明を適用することもできる。同図において、追記がなされた原稿の各ページの画像は、イメージスキャナ５によって読み取られ、ネットワーク７を介してＰＣ２に入力される。また、ＰＣ２の記憶部２０５には、ページ毎のオリジナル画像が記憶されている。制御部２０１は、入力されたページ毎の画像と、記憶部２０５に記憶されているページ毎のオリジナル画像とを比較し、追記によって変更された変更ページを特定する。そして、制御部２０１は、記憶部２０５に記憶されているオリジナル画像のうち変更ページのオリジナル画像を、変更ページの入力画像を用いて更新する。また、制御部２０１は、このようにして更新された後の記憶部２０５の記憶内容に従って、追記によって変更された原稿の画像や変更履歴等に関する情報を、例えば、通信インタフェース２０４からネットワーク７を介してプリンタ６に送信し、記録紙に印刷したり、表示制御部２０３を介して表示装置４に送出し、表示装置４の画面に表示したり、あるいは通信インタフェース２０４からネットワーク７を介して他の機器へ送信することができる。
【００４０】
（３）上述した実施形態では、原稿データとして文書データを用いた場合について説明したが、原稿データは、文書データ以外に、例えば、画像データや帳票データ等であってもよい。また、上述した実施形態において画像処理装置１は、記録媒体ドライブを備え、追記がなされた原稿の各ページの画像データを、画像処理装置１に対して装着されたメモリカードやＤＶＤ等の記録媒体から記録媒体ドライブを介して取得してもよい。
【図面の簡単な説明】
【００４１】
【図１】画像処理装置１のハードウェア構成を示すブロック図である。
【図２】画像処理装置１において実行される追記情報管理処理Ａについて示すフローチャートである。
【図３】記憶部１０７に記憶されているオリジナル画像の更新例について示す図（その１）である。
【図４】変形例（１）に係る追記情報管理処理Ｂについて示すフローチャートである。
【図５】記憶部１０７に記憶されているオリジナル画像の更新例について示す図（その２）である。
【図６】変形例（２）に係るＰＣ２のハードウェア構成を示すブロック図である。
【符号の説明】
【００４２】
１…画像処理装置、１０１…制御部、１０２…画像読取部、１０３…通信インタフェース、１０４…表示部、１０５…操作部、１０６…印刷部、１０７…記憶部、２…ＰＣ（パーソナルコンピュータ）、３…操作デバイス、４…表示装置、５…イメージスキャナ、６…プリンタ、７…ネットワーク、２０１…制御部、２０２…入出力インタフェース、２０３…表示制御部、２０４…通信インタフェース、２０５…表示制御部。
【図１】
2006268792.tif 000003
【図２】
2006268792.tif 000004
【図３】
2006268792.tif 000005
【図４】
2006268792.tif 000006
【図５】
2006268792.tif 000007
【図６】
2006268792.tif 000008